(57)【特許請求の範囲】
【請求項１】
着呼に応答して所定の伝送制御手順に基づいてデータを受信する受信手段を備え、所定の箱に格納された受信データに対し該箱に対応付けられた属性情報に基づいて転送、親展受信などの処理を実行する通信端末装置であって、
箱毎に任意の属性情報を対応付けて設定するための設定入力手段と、
着信先を指定するための着番号と箱とが対応付けて登録されたテーブルと、
前記着番号を検出する着番号検出手段と、
着信した際に、前記着番号検出手段により検出された着番号に対応した箱が前記テーブルに登録されている場合は、データを格納する箱を送信側から指定することができない旨を前記伝送制御手順により送信側に通知して、送信側からの箱指定を禁止する重複箱指定禁止手段とを備え、
前記重複箱指定禁止手段により箱指定を禁止した後に、送信側から送信されてくるデータを前記検出された着番号に対応した箱に格納させると共に、格納されたデータをその箱に対応付けられた属性情報に基づいて処理することを特徴とする通信端末装置。
【請求項２】
前記着番号検出手段が検出する着番号は、ダイヤルイン番号であることを特徴とする請求項１に記載の通信端末装置。
【請求項３】
前記着番号検出手段が検出する着番号は、ＩＳＤＮサブアドレスであることを特徴とする請求項１に記載の通信端末装置。
【発明の詳細な説明】
【０００１】
【発明の属する技術分野】
本発明は、ＰＳＴＮやＩＳＤＮ等の公衆網を介して通信を行うファクシミリ装置等の通信端末装置に関する。
【０００２】
【従来の技術】
従来の通信端末装置、例えば、Ｇ３ファクシミリ装置においては、送信側における送信操作の際に数桁の識別番号が入力された場合に、送信するデータに付帯して、非標準機能設定信号ＮＳＳ／非標準機能識別信号ＮＳＦ等の非標準機能用の制御信号を用いて、当該入力された識別番号を受信側に通知するようにしたものがあった。
【０００３】
また、ＩＴＵ−Ｔ勧告Ｔ．３０により、サブアドレス信号ＳＵＢがオプション信号として規定されてからは、ＳＵＢにより送信側から受信側への送信データに付帯した識別番号の通知が可能となり、異なるメーカの装置間でも、識別番号の通知を伴うデータ通信が行えるようになった。
【０００４】
送信側からの受信データに付帯して通知された識別番号をどのように解釈するかは、受信側の判断によるが、通常は、箱の概念を導入して、各識別番号にそれぞれ対応付けられた各箱を用意しておき、受信データを、併せて通知された識別番号により特定される箱と関連付けていったん記憶する。そして、特定の箱に関連付けられて記憶された受信データに対して、当該特定の箱に対応して設定された所定の処理を行う。
【０００５】
その所定の処理としては、従来は、当該特定の箱に対応して予め設定された暗唱番号が入力された時に初めて受信データを出力する、親展受信処理が行われる程度であったが、最近は様々な応用が考えられている。
【０００６】
具体的には、例えば公衆網を介した受信データに伴って通知された識別番号により特定される箱に関連付けて記憶した当該受信データを、当該箱に対応して予め設定された電子メールアドレス宛にネットワークを介して電子メールとして配信するネットワーク配信処理がある。
【０００７】
また、例えば、受信データに伴って通知された識別番号により特定される箱に関連付けて記憶した当該受信データを、当該箱に対応して予め設定された転送宛先に送信することによる転送処理がある。
【０００８】
また、例えば、受信データに伴って通知された識別番号により特定される箱に関連付けて記憶した当該受信データを、後に、当該箱に対応する識別番号をセレクティブポーリング信号ＳＥＰにより通知してきた発呼元装置にポーリング送信する掲示板処理がある。
【０００９】
【発明が解決しようとする課題】
しかし、そのような送信側からの箱指定を伴う従来の通信では、通信データが格納されるべき箱の指定は、送信側において行われるだけで、受信データの属性を受信側で判断して受信側が独自に指定した箱に受信データを格納するようなことは行うのことができず、また、例え行ったとしても、受信データを格納すべき箱の指定が、送信側から指定と、受信側独自の指定とで重複して行われることになり、整合性がとれなくなる問題がある。また、そもそも送信側が箱指定の機能を持たない場合には、箱指定の送信を行えないという問題点があった。
【００１０】
本発明は係る事情に鑑みてなされたものであり、送信側からの箱指定がなくても、箱指定のデータ受信を行うことができ、また、送信側からの箱指定が可能であっても、受信側独自の箱指定との整合性を保つことができる通信端末装置を提供することを目的とする。
【００１１】
【課題を解決するための手段】
請求項１に記載の通信端末装置は、着呼に応答して所定の伝送制御手順に基づいてデータを受信する受信手段を備え、所定の箱に格納された受信データに対し該箱に対応付けられた属性情報に基づいて転送、親展受信などの処理を実行する通信端末装置であって、箱毎に任意の属性情報を対応付けて設定するための設定入力手段と、着信先を指定するための着番号と箱とが対応付けて登録されたテーブルと、前記着番号を検出する着番号検出手段と、着信した際に、前記着番号検出手段により検出された着番号に対応した箱が前記テーブルに登録されている場合は、データを格納する箱を送信側から指定することができない旨を前記伝送制御手順により送信側に通知して、送信側からの箱指定を禁止する重複箱指定禁止手段とを備え、前記重複箱指定禁止手段により箱指定を禁止した後に、送信側から送信されてくるデータを前記検出された着番号に対応した箱に格納させると共に、格納されたデータをその箱に対応付けられた属性情報に基づいて処理することを特徴とする。
【００１４】
請求項２に記載の通信端末装置は、請求項１に記載の通信端末装置において、前記着番号検出手段が検出する着番号は、ダイヤルイン番号であることを特徴とする。
【００１５】
請求項３に記載の通信端末装置は、請求項１に記載の通信端末装置において、前記着番号検出手段が検出する着番号は、ＩＳＤＮサブアドレスであることを特徴とする。
【００１６】
【発明の実施の形態】
以下、添付図面を参照しながら、本発明の実施の形態を詳細に説明する。
【００１７】
先ず、図１に、本発明の実施の形態に係る通信端末装置としてのファクシミリ装置１のブロック構成を示す。
【００１８】
同図において、ファクシミリ装置１は、システム制御部２、ＲＯＭ３、ＲＡＭ４、スキャナ５、プロッタ６、操作表示部７、レイヤ１制御部８、Ｄチャネル制御部９、Ｇ４通信制御部１０、Ｇ３通信制御部１１、ＣＯＤＥＣ１２、電話器１３、画像メモリ１４、及び、システムバス１５により構成されている。
【００１９】
システム制御部２は、ＲＯＭ３に書き込まれた制御プログラムに従って、ＲＡＭ４を作業領域として使用しながら、装置各部を制御するものである。
【００２０】
ＲＯＭ３は、前述したように、システム制御部２が装置各部を制御するための制御プログラムが記憶されているリードオンリメモリである。ＲＡＭ４は、前述したようにシステム制御部２の作業領域として使用されるランダムアクセスメモリである。
【００２１】
スキャナ５は、２００×２００画素／２５．４ｍｍ（１インチ）、３００×３００画素／２５．４ｍｍ、４００×４００画素／２５．４ｍｍ等の所定の読み取り線密度で原稿画像を読み取って画情報を得るためのものである。プロッタ６は、受信した画情報を、その解像度に応じて記録出力したり、スキャナ５で読み取った画情報を、その線密度に応じて記録出力（コピー動作）するためのものである。
【００２２】
操作表示部７は、相手先電話番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２３】
レイヤ１制御部８は、ＩＳＤＮのレイヤ１フレームのやりとりや、レイヤ１起動・停止手順等を制御するものである。Ｄチャネル制御部９は、Ｄチャネルレイヤ２及びレイヤ３のＤチャネルプロトコルを制御するものであり、レイヤ２におけるＬＡＰＤフレームの伝送制御や、レイヤ３における呼の設定や解除等の呼制御を行うためのものである。
【００２４】
Ｇ４通信制御部１０は、Ｄチャネル制御部９により設定されたＢチャネルを使用して行われる相手先のＧ４ファクシミリ装置との間のＧ４ファクシミリ通信を制御するためのものである。Ｇ３通信制御部１１は、Ｄチャネル制御部９により設定されたＢチャネルを使用して行われる相手先のＧ３ファクシミリ装置との間のＧ３ファクシミリ通信を制御するためのものである。
【００２５】
ＣＯＤＥＣ１１は、Ｇ３通信制御部１１または電話器１３と、レイヤ１制御部８との間に介在してレイヤ１制御部８から得られるＢチャネル上のデジタル信号をアナログ信号に変換してＧ３通信制御部１１または電話器１３に入力する一方、Ｇ３通信制御部１１または電話器１３からのアナログのモデム信号または音声信号をデジタル信号に変換してレイヤ１制御部８に入力するためのものである。
【００２６】
電話器１３は、専用の電話器が専用のインターフェースで接続される形態のものであってもよいし、ＰＳＴＮインターフェースによりＰＳＴＮ用の電話器が接続される形態のものであってもよい。画像メモリ１４は送受信画情報を一時蓄積するためのものである。システムバス１５は、上記各部がデータをやり取りするための信号ラインである。
【００２７】
以上のように構成されるファクシミリ装置１は、スキャナ５にセットされた原稿を読みとって得られた画情報を、操作表示部７から指定された相手先ファクシミリ装置のＧ３かＧ４かの種別に応じてＧ３通信制御部１１またはＧ４通信制御部１０を使用して、Ｄチャネル制御部９により設定されたＢチャネルにより相手装置に送信する一方、ＩＳＤＮから着信した画情報を、送信元の相手装置のＧ３かＧ４かの種別に応じて、Ｇ３通信制御部１１またはＧ４通信制御部１０を使用して受信してプロッタ６により記録紙に記録出力する。また、ファクシミリ装置１は、Ｄチャネル制御部９により設定されたＢチャネルを介して電話器１３を使用した通話通信を行う。
【００２８】
以上のように構成されるファクシミリ装置１は、ＲＡＭ４に、本発明に係る記憶内容として、図２に示すように箱管理テーブル４ａを記憶している。なお、箱管理テーブル４ａについては後述する。
【００２９】
また、ファクシミリ装置１においては、図３に示すように画像メモリ１４に記憶される各画情報ファイルは、図４に示す構成で、各画情報ファイルを相互に識別するためのファイル番号と、箱フラグと、画情報本体とにより構成されている。ファイル番号は、画情報ファイルの画像メモリ１４に記憶の際に自動的に付される番号で、例えば画情報ファイルの記憶する際にインクリメントされる４桁のカウンタの計数値である。箱フラグは、特定の箱と関連付けられていて、対応する箱が存在するか否かを示すフラグで、値１が対応する箱「あり」を示し、値０が対応する箱「なし」を示している。
【００３０】
図５に箱管理テーブル４ａの具体的な内容について示す。
【００３１】
同図において、箱管理テーブル４ａは、各箱を特定するための識別番号である「箱ＩＤ」のフィールドと、対応する箱に関連付けられている画情報ファイルに対して行うべき処理の属性を示す「処理属性」のフィールドと、各箱に関連付けられた画情報ファイルに対して、対応する「処理属性」の処理を行う場合に必要となる「付帯情報」のフィールドと、各箱に関連付けられている「ファイル番号」のフィールドとからなるレコードの集まりとして構成されている。
【００３２】
「箱ＩＤ」、「処理属性」及び「付帯情報」の各フィールドは、操作表示部９からの設定入力により予め登録されているもので、「ファイル番号」のフィールドは、後述する受信処理によりファイル番号が登録され、後述するファイル処理によりファイル番号の登録が解除されるものである。
【００３３】
本実施の形態では、「処理属性」としては、「転送」と「親展受信」の２種類があるものとする。「処理属性」が「転送」の箱については、転送先となる宛先情報が必要なため、転送宛先番号が「付帯情報」として登録されている。「処理属性」が「親展受信」の箱については、ユーザによる取り出し操作時にユーザを認証するための情報が必要なため、暗唱番号が「付帯情報」として登録されている。もっとも、本発明は、「処理属性」の種類やその数により限定されるものではないことはいうまでもない。
【００３４】
次に、ファクシミリ装置における、サブアドレス信号ＳＵＢの通知を伴うＧ３ファクシミリ通信シーケンスについて図６を参照して説明する。
【００３５】
同図において、発呼側は、着呼側の相手先装置に発呼して回線が確立されると、発呼トーンＣＮＧで呼を指示し（フェーズＦ１）、着呼側が被呼局識別信号ＣＥＤで呼に応答する（フェーズＦ２）。
【００３６】
そして、着呼側から送出されるディジタル識別信号ＤＩＳ、非標準機能識別信号ＮＳＦ、被呼端末識別信号ＣＳＩに対して（フェーズＦ３）、発呼側は、ディジタル送信命令信号ＤＣＳ、非標準機能設定信号ＮＳＳ、送信端末識別信号ＴＳＩ、及び、フェーズＦ３におけるディジタル識別信号ＤＩＳのＦＩＦ情報フィールドの第４９ビットがセットされていて、着呼側がサブアドレス信号ＳＵＢによるサブアドレスの指定を伴う通信に対応している場合において、発呼に先立ってサブアドレスが指定されている場合には、その指定されたサブアドレス情報を情報フィールド中に含むサブアドレス信号ＳＵＢを送出し送出する（フェーズＦ４）。
【００３７】
更に発呼側は、フェーズＦ４で通信パラメータを設定した上で、トレーニングチェック信号ＴＣＦにより、設定したモデム速度でモデムトレーニングを行い（フェーズＦ５）、着呼側からの受信準備確認信号ＣＦＲの受信を待って（フェーズＦ６）、画情報をファクシミリメッセージとして送信する（フェーズＦ７）。なお、フェーズＦ７でファクシミリメッセージとして送信するデータは画情報に限らず、Ｇ３ファクシミリの拡張機能であるＢＦＴ（Ｂｉｎａｒｙ  Ｆｉｌｅ  Ｔｒａｎｓｆｅｒ）によるバイナリデータであってもよい。
【００３８】
発呼側のファクシミリ装置１は、フェーズＦ７でファクシミリメッセージを送信すると、手順終了信号ＥＯＰを送出し（フェーズＦ８）、着呼側がメッセージ確認信号ＭＣＦで応答してくると（フェーズＦ９）、切断命令信号ＤＣＮを送出して（フェーズＦ１０）、ファクシミリ送信を完了する。
【００３９】
このように、ファクシミリ送信時に必要に応じてＳＵＢを通知することで、送信相手先装置側が、受信したファクシミリメッセージを、併せて通知されたサブアドレスと対応付けて管理して、必要な処理を行うことができるようになる。
【００４０】
本実施の形態では、ＩＴＵ−Ｔ勧告Ｔ．３０に示されるサブアドレス信号ＳＵＢを箱を指定するための箱ＩＤの通知のために使用する。
【００４１】
次に、ファクシミリ装置１におけるＧ３ファクシミリ受信処理手順について説明する。
【００４２】
ファクシミリ装置１おける受信処理手順は、ＩＳＤＮ回線の事業者とダイヤルイン回線の契約をして、着呼時通知されるダイヤルイン番号を着番号として検出する図７に示す手順、または、着呼時に通知されるＩＳＤＮサブアドレスを着番号として検出する図８に示す手順である。
【００４３】
図７に示す受信処理手順においては、着呼があるかを監視し（判断１０１のＮｏループ）、着呼があると（判断１０１のＹｅｓ）、通知されたダイヤルイン番号を着番号として検出して（処理１０２）、図９の処理３０１に移行する。
【００４４】
図８に示す受信処理手順においては、着呼があるかを監視し（判断２０１のＮｏループ）、着呼があると（判断２０１のＹｅｓ）、通知されたＩＳＤＮサブアドレスを着番号として検出して（処理２０２）、図９の処理３０１に移行する。
【００４５】
なお、図７に示す受信処理手順は、接続される回線がＰＳＴＮの場合にも適用可能である。また、ダイヤルイン番号やＩＳＤＮサブアドレスの他にも、サブアドレス信号ＳＵＢのように伝送制御手順内での送信側と受信側のやりとりにおいてインバンドで通知されるのではなく、着呼時にアウトバンドで通知される着信先を指定するための情報であれば、着番号として検出可能である。
【００４６】
さて、図７または図８に示す受信処理手順により着番号を検出した後、図９の処理３０１において、検出した着番号を箱管理テーブル４ａの箱ＩＤと照合して検出した着番号に対応する箱があるかを確認する。
【００４７】
そして、対応する箱がある場合には（判断３０２のＹｅｓ）、図６に示したようなシーケンスで伝送前手順を行い（処理３０９）、そこで、箱指定受信機能なしをディジタル識別信号ＤＩＳの第４９ビットをリセットすることにより通知する。
【００４８】
それにより、送信側からのサブアドレス信号ＳＵＢによる箱指定が行われることがないため、着番号により指定された箱がサブアドレス信号ＳＵＢにより再指定されてしまうようなことがなく、同一の受信画情報について、着番号で所定の宛先への転送が指示されると共に、ＳＵＢにより親展受信が指示されるような事態を発生を未然に防止でき、箱指定の整合性を保つことができる。
【００４９】
そして、図６に示したようなシーケンスでファクシミリメッセージの画情報を受信するファクシミリ受信処理を行い（処理３１０）、その受信した画情報を検出した着番号に対応する箱（ＩＤ）と対応付けた画情報ファイルとして、すなわち、図４に示した箱フラグの値が１の画情報ファイルとして画像メモリ１４に記憶すると共に、当該記憶した画情報ファイルに付したファイル番号を、箱管理テーブル４ａにおいて、検出した着番号に対応する箱（ＩＤ）に対応する「ファイル番号」のフィールドに登録する（処理３１１）。
【００５０】
判断３０２において、対応する箱がない場合には（判断３０２のＮｏ）、図６に示したようなシーケンスで伝送前手順を行い（処理３０３）、そこで、箱指定受信機能ありをディジタル識別信号ＤＩＳの第４９ビットをセットすることにより通知する。
【００５１】
それにより、着番号により指定される箱がない場合には、送信側からのサブアドレス信号ＳＵＢによる箱指定を有効とすることができる。
【００５２】
そして、箱指定受信機能ありの通知に対して、サブアドレス信号ＳＵＢによる箱指定番号の通知がなかった場合には（判断３０４のＮｏ）、図６に示したようなシーケンスでファクシミリメッセージの画情報を受信するファクシミリ受信処理を行い（処理３０５）、箱（ＩＤ）と対応付けない画情報ファイルとして、すなわち、図４に示した箱フラグの値が０の画情報ファイルとして記憶する（処理３０６）。
【００５３】
判断３０４において、サブアドレス信号ＳＵＢによる箱指定番号の通知があった場合には（判断３０４のＹｅｓ）、図６に示したようなシーケンスでファクシミリメッセージの画情報を受信するファクシミリ受信処理を行い（処理３０７）、その受信した画情報をサブアドレス信号ＳＵＢにより通知された箱指定番号に対応する箱（ＩＤ）と対応付けた画情報ファイルとして、すなわち、図４に示した箱フラグの値が１の画情報ファイルとして画像メモリ１４に記憶すると共に、当該記憶した画情報ファイルに付したファイル番号を、箱管理テーブル４ａにおいて、ＳＵＢにより通知された箱指定番号に対応する箱（ＩＤ）に対応する「ファイル番号」のフィールドに登録する（処理３０８）。
【００５４】
なお、判断３０２がＮｏで、対応する箱がない場合には、箱指定受信機能なしを通知するようにして、送信側からの箱指定を禁止するようにしてもよい。その場合箱管理テーブル４ａに箱ＩＤとして設定されている着番号を知っていて、当該着番号宛に発呼してきた者のみが、指定した箱に対応する転送機能や親展受信機能を利用でき、箱管理テーブル４ａに箱ＩＤとして設定されている着番号を知らない者からの箱指定の受信は拒否することができる。
【００５５】
最後に、図７または図８、及び、図９の受信処理により画像メモリ１４に記憶された画情報ファイルに対して行われるファイル処理手順について図１０及び図１１を参照して説明する。
【００５６】
先ず図１０において、ファクシミリ装置１は、画像メモリ１４に未処理の画情報ファイルがあるかを監視し（判断４０１のＮｏループ）、未処理の画情報ファイルがある場合には（判断４０１のＹｅｓ）、箱フラグの値が０のファイルがあるかを判断し（判断４０２）、ある場合には（判断４０２のＹｅｓ）、当該箱フラグの値が０のファイルから画情報を読み出して、プロッタ６により記録紙に記録出力し（処理４０４）、その記録出力処理が記録紙詰まりや記録紙切れ等もなく正常に終了したかを判断し（判断４０５）、正常には終了しなかった場合には（判断４０５のＮｏ）、判断４０１に戻るが、正常に終了した場合には（判断４０５のＹｅｓ）、処理４０４により記録済みのファイルを画像メモリ１４から削除して（処理４０６）、判断４０１に戻る。これにより、図９の処理３０６により記憶された通常のファクシミリ受信に係る画情報については、通常通り、受信後順次記録紙に記録出力されることになる。
【００５７】
判断４０２において、箱フラグの値が０のファイルがない場合には、更に、箱フラグの値が１のファイルがあるかを判断し（判断４０３）、ない場合には（判断４０３のＮｏ）、判断４０１に戻るが、ある場合には（判断４０３のＹｅｓ）、図１１の判断５０１に移行する。
【００５８】
判断５０１では、「転送」のファイルがあるか、すなわち、図５の箱管理テーブル４ａの「処理属性」が「転送」の箱の「ファイル番号」のフィールドにファイル番号が登録されているファイルが１つ以上あるかを判断し、「転送」のファイルがある場合には（判断５０１のＹｅｓ）、ファイル番号が登録されている、「処理属性」が「転送」の箱を１つ選択し（処理５０３）、当該選択した箱の「付帯情報」のフィールドに登録されている転送宛先番号に発呼し（処理５０４）、当該選択した箱の「ファイル番号」のフィールドにより特定されるファイルの画情報を画像メモリ１４から読み出して送信する（処理５０５）。
【００５９】
そして、その送信処理が通信エラーの発生もなく正常に終了したかを判断し（判断５０６）、正常には終了しなかった場合には（判断５０６のＮｏ）、判断４０１に戻るが、正常に終了した場合には（判断５０６のＹｅｓ）、当該選択した箱と処理５０５により送信済みのファイルとの対応付けを、当該箱に対応する「ファイル番号」のフィールドから当該送信済みのファイルのファイル番号を削除することにより、解除してから（処理５０７）、当該「転送」のファイルを画像メモリ１４から削除してから（処理５０９）、判断４０１に戻る。
【００６０】
これにより、「処理属性」が「転送」の箱に関連つけられて蓄積された画情報を、箱に対応する「付帯情報」により特定される転送宛先へ送信することができる。
【００６１】
判断５０１において、「転送」のファイルがない場合には（判断５０１のＮｏ）、更に、「親展受信」のファイルがあるか、すなわち、図５の箱管理テーブル４ａの「処理属性」が「親展受信」の箱の「ファイル番号」のフィールドにファイル番号が登録されているファイルが１つ以上あるかを判断し、ない場合には（判断５０２のＮｏ）、判断４０１に戻るが、ある場合には（判断５０２のＹｅｓ）、親展受信ファイルを取り出すための操作表示部９を介した所定の起動操作があるかを判断し（判断５０９）、ない場合には（判断５０９のＮｏ）、判断４０１に戻るが、ある場合には（判断５０９のＹｅｓ）、更に操作表示部９を介した暗証番号の入力があるかを監視し（判断５１０のＮｏループ）、暗証番号が入力されると（判断５１０のＹｅｓ）、その入力された暗証番号と一致する番号が、図５の箱管理テーブルの「処理属性」が「親展受信」の箱の「付帯情報」として登録されている箱に対応する「ファイル番号」のフィールドに登録されているファイルから画情報を読み出してプロッタ６により記録紙に記録出力し（処理５１１）、その記録出力処理が記録紙詰まりや記録紙切れ等もなく正常に終了したかを判断し（判断５１２）、正常には終了しなかった場合には（判断５１２のＮｏ）、判断４０１に戻るが、正常に終了した場合には（判断５１２のＹｅｓ）、当該取り出し完了済みの箱と、処理５１１により記録出力済みのファイルとの対応付けを、当該箱に対応する「ファイル番号」のフィールドから当該記録出力済みのファイルのファイル番号を削除することにより解除し（処理５１３）、当該「親展受信」のファイルを画像メモ１４から削除してから（処理５１４）、判断４０１に戻る。
【００６２】
これにより、「処理属性」が「親展受信」の箱に関連付けられて蓄積された画情報を、各箱に対応する「付帯情報」として登録された暗証番号と一致する暗証番号を入力して取り出し操作を行ったユーザに渡すことができる。
【００６３】
なお、以上説明した実施の形態においては、箱ＩＤをＧ３ファクシミリの標準信号であるＳＵＢ信号により通知する場合に本発明を適用したが、非標準の制御信号により通知する場合等、その他の通知形態に対しても本発明は同様に適用可能なものである。
【００６４】
また、以上説明した実施の形態においては、本発明を主に画情報データ通信を行う通信端末装置であるファクシミリ装置に適用したが、本発明は通信データの内容により限定されるものではないのはいうまでもない。また、通信データの伝送プロトコルにより本発明は限定されるものではなく、通信データに付帯して伝送制御手順内で箱指定のための識別番号を通知可能であり、通信データ受信のための伝送制御手順外で着番号の通知を受けことが可能なものであれば、同様に適用可能なものである。
【００６５】
【発明の効果】
請求項１に係る発明によれば、送信側において特定の着番号を宛先として指定して発呼するだけで、当該着番号に対応する箱に対応付けて設定された、転送や親展受信などの所定の処理を受信データに対して受信側に行わせることができ、送信側が箱指定の機能を持たなくても、受信側が送信側からの箱指定のデータ受信を受けることが可能となる効果が得られる。また更に、予め所定の処理と対応付けて設定してある着番号に着呼があって、その着番号対応する箱に予め設定されいる、受信データに対して行うべき処理が確定した後に、前記所定の伝送制御手順内で再度箱指定が行われてしまうことを防止でき、送信側からの箱指定が可能であっても、その送信側からの従来の箱指定機能と受信側独自の着番号による箱指定機能との整合性を保つことが可能となる効果が得られる。
【００６８】
請求項２に係る発明によれば、着呼時に網から通知されるダイヤルイン番号を前記着番号として検出して本発明を実現することが可能となる効果が得られる。
【００６９】
請求項３に係る発明によれば、ＩＳＤＮにおける着呼時の呼設定メッセージで通知されるＩＳＤＮサブアドレスを前記着番号として検出して本発明を実現することが可能となるため、ダイヤルイン番号による場合のようなダイヤルインの契約も不要で本発明に係る通信端末装置がＩＳＤＮに接続される場合に本発明を低コストで実現することが可能となる効果が得
られる。
【図面の簡単な説明】
【図１】本発明の実施の形態に係る通信端末装置としてのファクシミリ装置のブロック構成を示す図である。
【図２】本発明の実施の形態に係るファクシミリ装置のＲＡＭの記憶内容について示す図である。
【図３】本発明の実施の形態に係るファクシミリ装置の画像メモリの記憶内容について示す図である。
【図４】画情報ファイルの構成について示す図である。
【図５】箱管理テーブルの具体的な内容について示す図である。
【図６】ＳＵＢの通知を伴うファクシミリ通信シーケンスについて示す図である。
【図７】本発明の実施の形態に係るファクシミリ装置における着呼処理手順について示すフローチャートである。
【図８】本発明の実施の形態に係るファクシミリ装置における着呼処理手順について示すフローチャートである。
【図９】図７または図８の着呼処理手順に引き続いて行われる処理手順について示すフローチャートである。
【図１０】本発明の実施の形態に係るファクシミリ装置におけるファイル処理手順について示すフローチャートである。
【図１１】図１０と共に、本発明の実施の形態に係るファクシミリ装置におけるファイル処理手順について示すフローチャートである。
【符号の説明】
１  ファクシミリ装置
２  システム制御部
３  ＲＯＭ
４  ＲＡＭ
４ａ  箱管理テーブル
５  スキャナ
６  プロッタ
７  操作表示部
８  レイヤ１制御部
９  Ｄチャネル制御部
１０  Ｇ４通信制御部
１１  Ｇ３通信制御部
１２  ＣＯＤＥＣ
１３  電話器
１４  画像メモリ
１５  システムバス
【図１】
0003665888.tif 000002
【図２】
0003665888.tif 000003
【図３】
0003665888.tif 000004
【図４】
0003665888.tif 000005
【図５】
0003665888.tif 000006
【図６】
0003665888.tif 000007
【図７】
0003665888.tif 000008
【図８】
0003665888.tif 000009
【図９】
0003665888.tif 000010
【図１０】
0003665888.tif 000011
【図１１】
0003665888.tif 000012